(57)【要約】【課題】記録媒体にしわが発生することを抑制し、印刷後の記録媒体においてインクに割れが発生することを抑制すること。【解決手段】プリンタ１０は、記録媒体５が配置されるプラテン２０と、プラテン２０より上流側に配置され、横断面円弧状に形成された上流側円弧部２５を備え、記録媒体５を案内する上流側ガイド２４と、プラテン２０より下流側に配置され、横断面円弧状に形成された下流側円弧部２９を備え、記録媒体５を案内する下流側ガイド２８と、記録媒体５が巻き付けられた供給軸４２と、記録媒体５を搬送するグリッドローラ３０と、印刷後の記録媒体５を巻き取る巻き取り軸４８と、プラテン２０を加熱する第１ヒータ６１と、上流側円弧部２５を加熱する第２ヒータ６２と、下流側円弧部２９を加熱する第３ヒータ６３と、を備え、上流側円弧部２５の第１曲率は、下流側円弧部２９の第２曲率より大きい。【選択図】図３
2018012265.tif 000002
【特許請求の範囲】
【請求項１】
長尺な記録媒体にインクを吐出するノズルを備え、前記記録媒体の幅方向である主走査方向に移動可能なインクヘッドと、
前記インクヘッドの下方に配置され、前記記録媒体が配置されるプラテンと、
前記主走査方向と直交する副走査方向において前記プラテンより上流側に配置され、横断面円弧状に形成された上流側円弧部を備え、前記記録媒体を案内する上流側ガイドと、
前記副走査方向において前記プラテンより下流側に配置され、横断面円弧状に形成された下流側円弧部を備え、前記記録媒体を案内する下流側ガイドと、
前記上流側ガイドより下方に配置され、前記記録媒体が巻き付けられた供給軸と、
前記プラテンに設けられ、前記供給軸から巻き解かれた前記記録媒体を前記副走査方向に搬送する搬送装置と、
前記下流側ガイドより下方に配置され、印刷後の前記記録媒体を巻き取る巻き取り軸と、
前記プラテンを加熱する第１ヒータと、
前記上流側ガイドの前記上流側円弧部を加熱する第２ヒータと、
前記下流側ガイドの前記下流側円弧部を加熱する第３ヒータと、を備え、
前記主走査方向から見て、前記上流側ガイドの前記上流側円弧部の第１曲率は、前記下流側ガイドの前記下流側円弧部の第２曲率より大きく設定されている、インクジェット式記録装置。
【請求項２】
前記上流側円弧部の前記副走査方向の長さは、前記下流側円弧部の前記副走査方向の長さより短い、請求項１に記載のインクジェット式記録装置。
【請求項３】
前記主走査方向から見て、前記上流側円弧部の円弧の長さは、前記下流側円弧部の円弧の長さより短い、請求項１または２に記載のインクジェット式記録装置。
【請求項４】
前記主走査方向から見て、前記上流側円弧部の第１中心角は４５度以上９０度以下であり、前記下流側円弧部の第２中心角は４５度以上９０度以下であり、前記第１中心角は、前記第２中心角以下である、請求項１から３のいずれか一項に記載のインクジェット式記録装置。
【請求項５】
前記主走査方向から見て、前記上流側円弧部の前記第１曲率は、前記供給軸の第３曲率より小さい、請求項１から４のいずれか一項に記載のインクジェット式記録装置。
【請求項６】
前記主走査方向から見て、前記上流側円弧部の前記第１曲率は、前記供給軸に前記記録媒体が最も長く巻き付けられたときの前記記録媒体の第４曲率より小さい、請求項５に記載のインクジェット式記録装置。
【請求項７】
前記主走査方向から見て、前記下流側円弧部の前記第２曲率は、前記巻き取り軸の第５曲率より小さい、請求項１から６のいずれか一項に記載のインクジェット式記録装置。
【請求項８】
前記主走査方向から見て、前記下流側円弧部の前記第２曲率は、前記巻き取り軸に前記記録媒体が最も長く巻き取られたときの前記記録媒体の第６曲率より小さい、請求項７に記載のインクジェット式記録装置。
【請求項９】
前記上流側円弧部の第１曲率をＭ１とし、前記下流側円弧部の第２曲率をＭ２としたとき、Ｍ１／Ｍ２は１．１〜２．０である、請求項１から８のいずれか一項に記載のインクジェット式記録装置。
【請求項１０】
前記第１ヒータは、前記プラテンに設けられ、
前記第２ヒータは、前記上流側ガイドに設けられ、
前記第３ヒータは、前記下流側ガイドに設けられている、請求項１から９のいずれか一項に記載のインクジェット式記録装置。
【発明の詳細な説明】
【技術分野】
【０００１】
本発明は、インクジェット式記録装置に関する。
【背景技術】
【０００２】
従来から、記録媒体上にインクを吐出する複数のノズルを有するインクヘッドと、記録媒体が配置されるプラテンとを備えたインクジェット式記録装置が知られている。インクジェット式記録装置は、インクジェット方式により記録媒体上に所定の印刷を行う。かかるインクジェット式記録装置は、記録媒体に吐出されたインクの乾燥を促進するため、プラテンを加熱するヒータを備えている。プラテンが加熱されることで、プラテン上に配置された記録媒体も加熱され、記録媒体の表面に吐出されたインクを早期に乾燥させることができる。
【０００３】
また、特許文献１には、プラテンを加熱するヒータに加えて、プラテンの上流側に配置され、横断面円弧状の上流側ガイドと、上流側ガイドを加熱するプリヒータと、プラテンの下流側に配置され、横断面円弧状の下流側ガイドと、下流側ガイドを加熱するポストヒータとを備えるインクジェット式記録装置が開示されている。プリヒータは、上流側ガイドを加熱することによって、上流側ガイド上に位置する記録媒体に予備的に熱を加えることができる。また、ポストヒータは、下流側ガイドを加熱することによって、下流側ガイド上に位置する記録媒体を加熱し、記録媒体の表面に吐出されたインクの乾燥を仕上げる。ここで、特許文献１に記載の上流側ガイドおよび下流側ガイドは、デザイン性や構成簡略化や部品共有化の観点から、同じ形状に形成されている。
【先行技術文献】
【特許文献】
【０００４】
【特許文献１】特開２０１３−１８４３８３号公報
【発明の概要】
【発明が解決しようとする課題】
【０００５】
ところで、記録媒体として供給軸にロール状に巻かれた長尺な記録媒体（例えば帯状の記録媒体）を用いる場合、記録媒体は、供給軸から巻き解かれながら上流側ガイド、プラテン、下流側ガイドの順に搬送され、最後に、巻き取り軸によってロール状に巻き取られる。供給軸から上流側ガイドに記録媒体が搬送される際には、供給軸から巻き解かれた記録媒体は未矯正であり反りが大きいが、上流側ガイドに設けられたプリヒータによって予備的に加熱されることで、記録媒体の反りが矯正されて反りが小さくなる。
【０００６】
ここで、上記特許文献１のように、上流側ガイドおよび下流側ガイドが同形状の場合、供給軸から巻き解かれた記録媒体の反りに合わせて、上流側ガイドおよび下流側ガイドの曲率（即ち曲面の曲がり具合）を比較的大きめに設定すると、下流側ガイドにおいて印刷後の記録媒体が必要以上に反った状態でポストヒータによって加熱されるため、インクの割れが発生してしまう虞がある。一方、プリヒータおよびヒータによって反りが矯正された記録媒体の反りに合わせて、上流側ガイドおよび下流側ガイドの曲率を比較的小さめに設定すると、上流側ガイドにおいて未矯正で反りが大きい記録媒体は、上流側ガイドから浮き上がってしまい記録媒体にしわや弛みが発生してしまう虞がある。
【０００７】
本発明はかかる点に鑑みてなされたものであり、その目的は、記録媒体にしわや弛みが発生することを抑制すると共に、印刷後の記録媒体においてインクに割れが発生することを抑制することができるインクジェット式記録装置を提供することである。
【課題を解決するための手段】
【０００８】
本発明に係るインクジェット式記録装置は、長尺な記録媒体にインクを吐出するノズルを備え、前記記録媒体の幅方向である主走査方向に移動可能なインクヘッドと、前記インクヘッドの下方に配置され、前記記録媒体が配置されるプラテンと、前記主走査方向と直交する副走査方向において前記プラテンより上流側に配置され、横断面円弧状に形成された上流側円弧部を備え、前記記録媒体を案内する上流側ガイドと、前記副走査方向において前記プラテンより下流側に配置され、横断面円弧状に形成された下流側円弧部を備え、前記記録媒体を案内する下流側ガイドと、前記上流側ガイドより下方に配置され、前記記録媒体が巻き付けられた供給軸と、前記プラテンに設けられ、前記供給軸から巻き解かれた前記記録媒体を前記副走査方向に搬送する搬送装置と、前記下流側ガイドより下方に配置され、印刷後の前記記録媒体を巻き取る巻き取り軸と、前記プラテンを加熱する第１ヒータと、前記上流側ガイドの前記上流側円弧部を加熱する第２ヒータと、前記下流側ガイドの前記下流側円弧部を加熱する第３ヒータと、を備え、前記主走査方向から見て、前記上流側ガイドの前記上流側円弧部の第１曲率は、前記下流側ガイドの前記下流側円弧部の第２曲率より大きく設定されている。
【０００９】
本発明のインクジェット式記録装置によると、主走査方向から見て、上流側円弧部の第１曲率は、下流側円弧部の第２曲率より大きく設定されている。このため、冷えた状態の記録媒体に第２ヒータが予備的に熱を加えることによって記録媒体の反りを矯正するために、上流側円弧部の曲率を、供給軸から搬送される記録媒体の反りに合わせて設定することができる。これにより、上流側ガイドにおいて未矯正で反りが大きい記録媒体が上流側ガイドから浮き上がることによって発生し得るしわや弛みを抑制することができる。また、印刷後の記録媒体に加わる物理的な負荷を抑えながら第３ヒータによって乾燥を仕上げるために、下流側円弧部の曲率を、第２ヒータおよび第１ヒータによって反りが矯正された印刷後の記録媒体の反りに合わせて設定することができる。これにより、下流側ガイドにおいて印刷後の記録媒体が必要以上に反った状態で第３ヒータによって加熱されることによって発生し得るインクの割れを抑制することができる。
【発明の効果】
【００１０】
本発明によれば、記録媒体にしわや弛みが発生することを抑制すると共に、印刷後の記録媒体においてインクに割れが発生することを抑制することができるインクジェット式記録装置を提供することができる。
【図面の簡単な説明】
【００１１】
【図１】一実施形態に係るプリンタの正面図である。
【図２】図１中のＩＩ‐ＩＩ線に沿う断面図である。
【図３】一実施形態に係るプラテンおよびその周辺構造を示す断面図である。
【図４】他の一実施形態に係るプラテンおよびその周辺構造を示す断面図である。
【発明を実施するための形態】
【００１２】
以下、図面を参照しながら、一実施形態に係るインクジェット式記録装置について説明する。本実施形態に係るインクジェット式記録装置は、長尺な記録媒体（例えば帯状の記録媒体）に印刷を行うインクジェットプリンタ（以下、プリンタという。）１０である。なお、ここで説明される実施形態は、当然ながら特に本発明を限定することを意図したものではない。また、同じ作用を奏する部材、部位には同じ符号を付し、重複する説明は適宜省略または簡略化する。
【００１３】
図１は、本実施形態に係るプリンタ１０の正面図である。図２は、図１のＩＩ‐ＩＩ線に沿う断面図である。プリンタ１０は、記録媒体５に印刷を行うためのものである。
【００１４】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。主走査方向Ｙは、記録媒体５の幅方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。副走査方向Ｘは、記録媒体５の長手方向である。ただし、上記方向は便宜的に定めたものに過ぎず、限定的に解釈すべきものではない。
【００１５】
本実施形態の記録媒体５は、普通紙である。記録媒体５は、後述する供給軸４２に巻き付け可能でありかつ巻き取り軸４８に巻き取り可能な形状のものであればよく、記録紙に限定されない。記録媒体５は、普通紙やインクジェット用印刷紙等の紙類以外に、ポリ塩化ビニルやポリエステル等の樹脂製のシートやフィルム、織布や不織布等の布帛、その他の媒体であってもよい。
【００１６】
図１に示すように、プリンタ１０は、本体部１２と、左サイドカバー１３Ｌおよび右サイドカバー１３Ｒと、中央壁１４と、プラテン２０（図２参照）と、上流側ガイド２４（図２参照）と、下流側ガイド２８と、グリッドローラ３０（図２参照）と、ピンチローラ３２（図２参照）と、ガイドレール３４と、ベルト３６と、キャリッジ３８（図２参照）と、インクヘッド４０と、供給軸４２と、巻き取り装置４４とを備えている。
【００１７】
図１に示すように、本体部１２は、スタンド１５に支持されている。本体部１２は、主走査方向Ｙに延びている。左サイドカバー１３Ｌは、本体部１２の左端に設けられている。右サイドカバー１３Ｒは、本体部１２の右端に設けられている。本体部１２には上下方向に延びる中央壁１４が設けられている。中央壁１４は、主走査方向Ｙに延びている。中央壁１４は、左サイドカバー１３Ｌと右サイドカバー１３Ｒとを連結する。
【００１８】
図１に示すように、本体部１２には、記録媒体５が配置されるプラテン２０が設けられている。図２に示すように、プラテン２０には、円筒状のグリッドローラ３０が設けられている。グリッドローラ３０は、その上面部を露出させた状態でプラテン２０に埋設されている。グリッドローラ３０は、フィードモータ（図示せず）によって駆動される。グリッドローラ３０は、供給軸４２から巻き解かれた記録媒体５を副走査方向Ｘに移動させる搬送装置の一例である。グリッドローラ３０の上方には、複数のピンチローラ３２が配置されている。ピンチローラ３２は、グリッドローラ３０に対向している。ピンチローラ３２は、記録媒体５の厚さに応じて上下方向の位置を設定可能に構成されている。ピンチローラ３２とグリッドローラ３０との間に記録媒体５を挟み込む。グリッドローラ３０およびピンチローラ３２は、記録媒体５を狭持しながら記録媒体５を副走査方向Ｘに搬送可能に構成されている。
【００１９】
図１示すように、ガイドレール３４は、中央壁１４に設けられている。ガイドレール３４は、プラテン２０の上方に配置されている。ガイドレール３４は、プラテン２０と平行に配置されている。ガイドレール３４は、主走査方向Ｙに延びている。図２に示すように、ガイドレール３４には、キャリッジ３８が係合している。
【００２０】
図１に示すように、ベルト３６は、中央壁１４の壁面に平行して配置されている。ベルト３６は、主走査方向Ｙに延びている。ベルト３６は、無端状のベルトである。ベルト３６の右端および左端には、プーリ１６Ａ、１６Ｂが巻き掛けられている。一方のプーリ１６Ａには、当該プーリ１６Ａを駆動するキャリッジモータ１７に接続されている。キャリッジモータ１７が回転するとプーリ１６Ａが回転し、ベルト３６が主走査方向Ｙに走行する。
【００２１】
図２に示すように、キャリッジ３８は、ベルト３６に固定されている。ベルト３６が走行すると、キャリッジ３８はガイドレール３４に沿って主走査方向Ｙに移動する。
【００２２】
図２に示すように、インクヘッド４０は、プラテン２０の上方に配置されている。インクヘッド４０は、記録媒体５にインクを吐出するノズル（図示せず）を備えている。インクヘッド４０は、キャリッジ３８に設けられている。キャリッジ３８が主走査方向Ｙに移動すると、インクヘッド４０も主走査方向Ｙに移動する。インクヘッド４０は、主走査方向Ｙに移動しながら記録媒体５に向かってインクを吐出する。
【００２３】
図２に示すように、供給軸４２は、上流側ガイド２４より下方に配置されている。供給軸４２は、プラテン２０より後方に配置されている。供給軸４２は、左右方向に延びる円筒形状または円柱形状に形成されている。供給軸４２には、印刷前の帯状の記録媒体５がロール状に巻き付けられている。図１に示すように、供給軸４２の左端部は左ガイド板４２Ｌに回転可能に支持されている。供給軸４２の右端部は右ガイド板４２Ｒに回転可能に支持されている。左ガイド板４２Ｌおよび右ガイド板４２Ｒは、本体部１２に設けられている。グリッドローラ３０が記録媒体５を前方に搬送することにより、記録媒体５は供給軸４２から巻き解かれてプラテン２０に向かって搬送される。図３に示すように、符号Ｃ１は、供給軸４２の曲率半径を示す。本実施形態では、曲率半径Ｃ１は、４ｃｍである。符号Ｃ２は、供給軸４２に記録媒体５が最も長く巻き付けられたときの記録媒体５の曲率半径を示す。本実施形態では、曲率半径Ｃ２は、８ｃｍである。
【００２４】
巻き取り装置４４は、印刷後の記録媒体５をロール状に巻き取る。図１に示すように、巻き取り装置４４は、テンションバー４６と、支持アーム４７Ｌ、４７Ｒと、巻き取り軸４８と、モータ４９とを備えている。
【００２５】
図２に示すように、テンションバー４６は、記録媒体５のうち下流側ガイド２８と巻き取り軸４８との間に位置する部分に対して張力を与えるものである。詳しくは、テンションバー４６は、自重を利用して記録媒体５を前斜め下方に押すことにより、記録媒体５に対して張力を与えるものである。テンションバー４６は、左右方向に延びる円筒形状または円柱形状に形成されている。テンションバー４６は、巻き取り軸４８に平行に配置されている。テンションバー４６は下流側ガイド２８より下方に配置されている。テンションバー４６は、巻き取り軸４８より前方に配置されている。図１に示すように、テンションバー４６は、支持アーム４７Ｌ、４７Ｒに揺動可能に支持されている。支持アーム４７Ｌは、本体部１２に設けられた第１左側壁４８Ｌに回転自在に設けられている。支持アーム４７Ｒは、本体部１２に設けられた第１右側壁４８Ｒに回転自在に設けられている。
【００２６】
図２に示すように、巻き取り軸４８は、下流側ガイド２８より下方に配置されている。巻き取り軸４８は、プラテン２０より前方に配置されている。巻き取り軸４８は、左右方向に延びる円筒形状または円柱形状に形成されている。巻き取り軸４８は、印刷後の帯状の記録媒体５を巻き取る。図１に示すように、巻き取り軸４８の左端部は、第１左側壁４８Ｌより右方に配置された第２左側壁４９Ｌに回転可能に支持されている。巻き取り軸４８の右端部は、第１右側壁４８Ｒより左方に配置された第２右側壁４９Ｒに回転可能に支持されている。第２左側壁４９Ｌおよび第２右側壁４９Ｒは、本体部１２に設けられている。図３に示すように、符号Ｄ１は、巻き取り軸４８の曲率半径を示す。本実施形態では、曲率半径Ｄ１は、４ｃｍである。符号Ｄ２は、巻き取り軸４８に記録媒体５が最も長く巻き取られたときの記録媒体５の曲率半径を示す。本実施形態では、曲率半径Ｄ２は、８ｃｍである。本実施形態では、供給軸４２の曲率半径Ｃ１と巻き取り軸４８の曲率半径Ｄ１とは同じであるが、異なっていてもよい。
【００２７】
図１に示すように、モータ４９は、巻き取り軸４８に連結されている。モータ４９は、巻き取り軸４８を回転させる。モータ４９は、第１右側壁４８Ｒと第２右側壁４９Ｒとの間に配置されている。
【００２８】
図２に示すように、上流側ガイド２４は、副走査方向Ｘにおいてプラテン２０より上流側に配置されている。本実施形態では、上流側ガイド２４は、プラテン２０より後方に配置されている。上流側ガイド２４は、横断面円弧状に形成された上流側円弧部２５を備えている。本実施形態では、上流側ガイド２４の全体が上流側円弧部２５によって構成されているが、上流側円弧部２５の上流側や下流側に直線上に延びる直線部が設けられていてもよい。上流側円弧部２５は、プラテン２０から離れるほど下方に向かうように湾曲している。即ち、上流側円弧部２５は、後方に行くほど下方に向かうように湾曲している。上流側ガイド２４は、供給軸４２から巻き解かれた記録媒体５をプラテン２０に案内する。即ち、供給軸４２から巻き解かれた記録媒体５は、上流側ガイド２４に沿って搬送される。図３に示すように、符号Ａ１は、上流側円弧部２５の曲率半径を示す。本実施形態では、曲率半径Ａ１は、１５ｃｍである。上流側円弧部２５の中心角αは、４５度以上９０度以下である。本実施形態では、中心角αは凡そ６０度である。なお、中心角αとは、主走査方向Ｙから見て、上流側円弧部２５の上流側の端部と下流側の端部を通る２つの半径の作る角である。なお、図４に示すように、上流側円弧部２５が、上方に向けて（ここでは記録媒体５に向けて）屈曲する複数の屈曲部２５Ａと、隣り合う屈曲部２５Ａの間に形成された面２５Ｂ（例えば平面。曲面であってもよい。）とを有する場合には、主走査方向Ｙから見て、屈曲部２５Ａを通る仮想円Ｌ１の曲率半径を上流側円弧部２５の曲率半径Ａ１とする。仮想円Ｌ１は、上流側円弧部２５に外接する。このとき、上流側円弧部２５の曲率は、曲率半径Ａ１の逆数（即ち、１／Ａ１）である。
【００２９】
図２に示すように、下流側ガイド２８は、副走査方向Ｘにおいてプラテン２０より下流側に配置されている。本実施形態では、下流側ガイド２８は、プラテン２０より前方に配置されている。下流側ガイド２８は、横断面円弧状に形成された下流側円弧部２９を備えている。本実施形態では、下流側ガイド２８の全体が下流側円弧部２９によって構成されているが、下流側円弧部２９の上流側や下流側に直線上に延びる直線部が設けられていてもよい。下流側円弧部２９は、プラテン２０から離れるほど下方に向かうように湾曲している。即ち、下流側円弧部２９は、前方に行くほど下方に向かうように湾曲している。下流側ガイド２８は、印刷後の記録媒体５をテンションバー４６を介して巻き取り軸４８に案内する。即ち、印刷後の記録媒体５は、下流側ガイド２８に沿って搬送される。図３に示すように、符号Ｂ１は、下流側円弧部２９の曲率半径を示す。本実施形態では、曲率半径Ｂ１は、２１ｃｍである。下流側円弧部２９の中心角βは、４５度以上９０度以下である。本実施形態では、中心角βは凡そ９０度である。なお、中心角βとは、主走査方向Ｙから見て、下流側円弧部２９の上流側の端部と下流側の端部を通る２つの半径の作る角である。なお、図４に示すように、下流側円弧部２９が、上方に向けて（ここでは記録媒体５に向けて）屈曲する複数の屈曲部２９Ａと、隣り合う屈曲部２９Ａの間に形成された面２９Ｂ（例えば平面。曲面であってもよい。）とを有する場合には、主走査方向Ｙから見て、屈曲部２９Ａを通る仮想円Ｌ２の曲率半径を下流側円弧部２９の曲率半径Ｂ１とする。仮想円Ｌ２は、下流側円弧部２９に外接する。このとき、下流側円弧部２９の曲率は、曲率半径Ｂ１の逆数（即ち、１／Ｂ１）である。
【００３０】
図３は、プラテン２０およびその周辺構造を示す断面図である。なお、図３において、便宜上グリッドローラ３０およびピンチローラ３２の図示を省略している。図３に示すように、主走査方向Ｙから見て、上流側ガイド２４の上流側円弧部２５の第１曲率Ｍ１は、下流側ガイド２８の下流側円弧部２９の第２曲率Ｍ２より大きく設定されている。第１曲率Ｍ１／第２曲率Ｍ２は、例えば、１．１〜２．０であり、好ましくは、１．３〜１．６である。本実施形態では、第１曲率Ｍ１／第２曲率Ｍ２は、１．４である。上流側円弧部２５の曲率半径Ａ１は、例えば、下流側円弧部２９の曲率半径Ｂ１より小さく設定されている。曲率半径Ａ１／曲率半径Ｂ１は、例えば、０．５〜０．９であり、好ましくは、０．６〜０．８である。本実施形態では、曲率半径Ａ１／曲率半径Ｂ１は、凡そ０．７である。上流側円弧部２５の中心角αは、下流側円弧部２９の中心角β以下に設定されている。上流側円弧部２５の副走査方向Ｘの長さＡ２は、下流側円弧部２９の副走査方向Ｘの長さＢ２より短く設定されている。主走査方向Ｙから見て、上流側円弧部２５の円弧の長さＡ３は、下流側円弧部２９の円弧の長さＢ３より短く設定されている。主走査方向Ｙから見て、上流側円弧部２５の第１曲率は、供給軸４２の第３曲率より小さく設定されている。即ち、上流側円弧部２５の曲率半径Ａ１は、供給軸４２の曲率半径Ｃ１より大きく設定されている。主走査方向Ｙから見て、上流側円弧部２５の第１曲率は、供給軸４２に記録媒体５が最も長く巻き付けられたときの記録媒体５の第４曲率より小さく設定されている。即ち、上流側円弧部２５の曲率半径Ａ１は、供給軸４２に記録媒体５が最も長く巻き付けられたときの記録媒体の曲率半径Ｃ２より大きく設定されている。主走査方向Ｙから見て、下流側円弧部２９の第２曲率は、巻き取り軸４８の第５曲率より小さく設定されている。即ち、下流側円弧部２９の曲率半径Ｂ１は、巻き取り軸４８の曲率半径Ｄ１より大きく設定されている。主走査方向Ｙから見て、下流側円弧部２９の第２曲率は、巻き取り軸４８に記録媒体５が最も長く巻き取られたときの記録媒体５の第６曲率より小さい。即ち、下流側円弧部２９の曲率半径Ｂ１は、巻き取り軸４８に記録媒体５が最も長く巻き取られたときの記録媒体５の曲率半径Ｄ２より大きく設定されている。
【００３１】
図２に示すように、プリンタ１０は、第１ヒータ６１と、第２ヒータ６２と、第３ヒータ６３とを備えている。第１ヒータ６１は、プラテン２０に設けられている。第１ヒータ６１はプラテン２０の下方に設けられている。第１ヒータ６１は、グリッドローラ３０より前方に配置されている。第１ヒータ６１は、プラテン２０を加熱する。プラテン２０が加熱されることによって、プラテン２０上に配置されている印刷後の記録媒体５が加熱され、インクの乾燥が促進される。
【００３２】
第２ヒータ６２は、上流側ガイド２４に設けられている。第２ヒータ６２は、上流側ガイド２４の下方に設けられている。第２ヒータ６２は、少なくとも上流側ガイド２４の上流側円弧部２５を加熱する。本実施形態では、第２ヒータ６２は、上流側ガイド２４の全体を加熱する。上流側円弧部２５が加熱されることによって、上流側円弧部２５上を案内される記録媒体５に予備的な熱が加えられ、記録媒体５の反りが矯正される。第２ヒータ６２は、上流側ガイド２４の副走査方向Ｘの全体に沿って配置されているが、上流側ガイド２４の副走査方向Ｘの一部に配置されていてもよい。例えば、第２ヒータ６２は、上流側円弧部２５の全体に沿って配置されていてもよい。
【００３３】
第３ヒータ６３は、下流側ガイド２８に設けられている。第３ヒータ６３は、下流側ガイド２８の下方に設けられている。第３ヒータ６３は、少なくとも下流側ガイド２８の下流側円弧部２９を加熱する。本実施形態では、第３ヒータ６３は、下流側ガイド２８の全体を加熱する。下流側円弧部２９が加熱されることによって、下流側円弧部２９上を案内される記録媒体５が加熱され、印刷後の記録媒体５のインクの乾燥の仕上げが行われる。第３ヒータ６３は、下流側ガイド２８の副走査方向Ｘの全体に沿って配置されているが、下流側ガイド２８の副走査方向Ｘの一部に配置されていてもよい。例えば、第３ヒータ６３は、下流側円弧部２９の全体に沿って配置されていてもよい。
【００３４】
以上のように、本実施形態のプリンタ１０によると、主走査方向Ｙから見て、上流側円弧部２５の第１曲率は、下流側円弧部２９の第２曲率より大きく設定されている。即ち、上流側円弧部２５の曲率半径Ａ１は、下流側円弧部２９の曲率半径Ｂ１より小さく設定されている。このため、冷えた状態の記録媒体５に第２ヒータ６２が予備的に熱を加えることによって記録媒体５の反りを矯正するために、上流側円弧部２５の曲率を、供給軸４２から搬送される記録媒体５の反りに合わせて設定することができる。これにより、上流側ガイド２４において未矯正で反りが大きい記録媒体５が上流側ガイド２４から浮き上がることによって発生し得るしわや弛みを抑制することができる。また、印刷後の記録媒体５に加わる物理的な負荷を抑えながら第３ヒータ６３によって乾燥を仕上げるために、下流側円弧部２９の曲率を、第２ヒータ６２および第１ヒータ６１によって反りが矯正された印刷後の記録媒体５の反りに合わせて設定することができる。これにより、下流側ガイド２８において印刷後の記録媒体５が必要以上に反った状態で第３ヒータ６３によって加熱されることによって発生し得るインクの割れを抑制することができる。
【００３５】
本実施形態のプリンタ１０によると、上流側円弧部２５の副走査方向Ｘの長さＡ２は、下流側円弧部２９の副走査方向Ｘの長さＢ２より短い。このように、下流側円弧部２９の副走査方向Ｘの第２長さＢ２を相対的に大きくすることで、記録媒体５に吐出されたインクの乾燥の時間を長くすることができ、乾燥の仕上げをより確実に行うことができる。
【００３６】
本実施形態のプリンタ１０によると、主走査方向Ｙから見て、上流側円弧部２５の円弧の長さＡ３は、下流側円弧部２９の円弧の長さＢ３より短い。このように、下流側円弧部の２９円弧の長さＢ３を相対的に大きくすることで、記録媒体５に吐出されたインクの乾燥の時間を長くすることができ、乾燥の仕上げをより確実に行うことができる。
【００３７】
本実施形態のプリンタ１０によると、主走査方向Ｙから見て、上流側円弧部２５の第１中心角αは４５度以上９０度以下であり、下流側円弧部２９の第２中心角βは４５度以上９０度以下であり、第１中心角αは、第２中心角β以下である。これにより、記録媒体５に吐出されたインクの乾燥の仕上げをより確実に行うことができる。また、上流側円弧部２５および下流側円弧部２９をコンパクトに配置することができる。
【００３８】
本実施形態のプリンタ１０によると、主走査方向Ｙから見て、上流側円弧部２５の第１曲率は、供給軸４２の第３曲率より小さい。これにより、上流側円弧部２５において、記録媒体５の反りを低減することができる。
【００３９】
本実施形態のプリンタ１０によると、主走査方向Ｙから見て、上流側円弧部２５の第１曲率は、供給軸４２に記録媒体５が最も長く巻き付けられたときの記録媒体５の第４曲率より小さい。これにより、ロール状に巻かれて反っていた記録媒体５の反りを、供給軸４２に巻かれていたときよりも反りが緩い曲面を有する上流側円弧部２５において、徐々に矯正することができる。
【００４０】
本実施形態のプリンタ１０によると、主走査方向Ｙから見て、下流側円弧部２９の第２曲率は、巻き取り軸４８の第５曲率より小さい。これにより、巻き取り軸４８において、記録媒体５をコンパクトに巻き取ることができる。
【００４１】
本実施形態のプリンタ１０によると、主走査方向Ｙから見て、下流側円弧部２９の第２曲率は、巻き取り軸４８に記録媒体５が最も長く巻き取られたときの記録媒体５の第６曲率より小さい。これにより、印刷後の記録媒体５を巻き取り軸４８においてより強固に巻き取ることができる。
【００４２】
本実施形態のプリンタ１０によると、上流側円弧部２５の第１曲率をＭ１とし、下流側円弧部２９の第２曲率をＭ２としたとき、Ｍ１／Ｍ２は１．１〜２．０である。これにより、印刷前の記録媒体５の反りの矯正と、印刷後の記録媒体５のインクの割れの発生の抑制を効果的に実現することができる。
【００４３】
本実施形態のプリンタ１０によると、第１ヒータ６１は、プラテン２０に設けられ、第２ヒータ６２は、上流側ガイド２４に設けられ、第３ヒータ６３は、下流側ガイド２８に設けられている。これにより、各ヒータ６１、６２、６３は、それぞれ、プラテン２０、上流側ガイド２４の上流側円弧部２５および下流側ガイド２８の下流側円弧部２９を効率よく加熱することができる。
【符号の説明】
【００４４】
５  記録媒体
１０  プリンタ
２０  プラテン
２４  上流側ガイド
２５  上流側円弧部
２８  下流側ガイド
２９  下流側円弧部
４０  インクヘッド
４２  供給軸
４８  巻き取り軸
６１  第１ヒータ
６２  第２ヒータ
６３  第３ヒータ
【図１】
2018012265.tif 000003
【図２】
2018012265.tif 000004
【図３】
2018012265.tif 000005
【図４】
2018012265.tif 000006
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
長尺な記録媒体にインクを吐出するノズルを備え、前記記録媒体の幅方向である主走査方向に移動可能なインクヘッドと、
前記インクヘッドの下方に配置され、前記記録媒体が配置されるプラテンと、
前記主走査方向と直交する副走査方向において前記プラテンより上流側に配置され、横断面円弧状に形成された上流側円弧部を備え、前記記録媒体を案内する上流側ガイドと、
前記副走査方向において前記プラテンより下流側に配置され、横断面円弧状に形成された下流側円弧部を備え、前記記録媒体を案内する下流側ガイドと、
前記上流側ガイドより下方に配置され、前記記録媒体が巻き付けられた供給軸と、
前記プラテンに設けられ、前記供給軸から巻き解かれた前記記録媒体を前記副走査方向に搬送する搬送装置と、
前記下流側ガイドより下方に配置され、印刷後の前記記録媒体を巻き取る巻き取り軸と、
前記プラテンを加熱する第１ヒータと、
前記上流側ガイドの前記上流側円弧部を加熱する第２ヒータと、
前記下流側ガイドの前記下流側円弧部を加熱する第３ヒータと、を備え、
前記主走査方向から見て、前記上流側ガイドの前記上流側円弧部の第１曲率は、前記下流側ガイドの前記下流側円弧部の第２曲率より大きく設定され、
前記主走査方向から見て、前記上流側円弧部の前記第１曲率は、前記供給軸に前記記録媒体が最も長く巻き付けられたときの前記記録媒体の第３曲率より小さい、インクジェット式記録装置。
【請求項２】
長尺な記録媒体にインクを吐出するノズルを備え、前記記録媒体の幅方向である主走査方向に移動可能なインクヘッドと、
前記インクヘッドの下方に配置され、前記記録媒体が配置されるプラテンと、
前記主走査方向と直交する副走査方向において前記プラテンより上流側に配置され、横断面円弧状に形成された上流側円弧部を備え、前記記録媒体を案内する上流側ガイドと、
前記副走査方向において前記プラテンより下流側に配置され、横断面円弧状に形成された下流側円弧部を備え、前記記録媒体を案内する下流側ガイドと、
前記上流側ガイドより下方に配置され、前記記録媒体が巻き付けられた供給軸と、
前記プラテンに設けられ、前記供給軸から巻き解かれた前記記録媒体を前記副走査方向に搬送する搬送装置と、
前記下流側ガイドより下方に配置され、印刷後の前記記録媒体を巻き取る巻き取り軸と、
前記プラテンを加熱する第１ヒータと、
前記上流側ガイドの前記上流側円弧部を加熱する第２ヒータと、
前記下流側ガイドの前記下流側円弧部を加熱する第３ヒータと、を備え、
前記主走査方向から見て、前記上流側ガイドの前記上流側円弧部の第１曲率は、前記下流側ガイドの前記下流側円弧部の第２曲率より大きく設定され、
前記主走査方向から見て、前記下流側円弧部の前記第２曲率は、前記巻き取り軸に前記記録媒体が最も長く巻き取られたときの前記記録媒体の第４曲率より小さい、インクジェット式記録装置。
【請求項３】
前記上流側円弧部の前記副走査方向の長さは、前記下流側円弧部の前記副走査方向の長さより短い、請求項１または２に記載のインクジェット式記録装置。
【請求項４】
前記主走査方向から見て、前記上流側円弧部の円弧の長さは、前記下流側円弧部の円弧の長さより短い、請求項１から３のいずれか一項に記載のインクジェット式記録装置。
【請求項５】
前記主走査方向から見て、前記上流側円弧部の第１中心角は４５度以上９０度以下であり、前記下流側円弧部の第２中心角は４５度以上９０度以下であり、前記第１中心角は、前記第２中心角以下である、請求項１から４のいずれか一項に記載のインクジェット式記録装置。
【請求項６】
前記主走査方向から見て、前記上流側円弧部の前記第１曲率は、前記供給軸の第５曲率より小さい、請求項１から５のいずれか一項に記載のインクジェット式記録装置。
【請求項７】
前記主走査方向から見て、前記下流側円弧部の前記第２曲率は、前記巻き取り軸の第６曲率より小さい、請求項１から６のいずれか一項に記載のインクジェット式記録装置。
【請求項８】
前記上流側円弧部の第１曲率をＭ１とし、前記下流側円弧部の第２曲率をＭ２としたとき、Ｍ１／Ｍ２は１．１〜２．０である、請求項１から７のいずれか一項に記載のインクジェット式記録装置。
【請求項９】
前記第１ヒータは、前記プラテンに設けられ、
前記第２ヒータは、前記上流側ガイドに設けられ、
前記第３ヒータは、前記下流側ガイドに設けられている、請求項１から８のいずれか一項に記載のインクジェット式記録装置。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
長尺な記録媒体にインクを吐出するノズルを備え、前記記録媒体の幅方向である主走査方向に移動可能なインクヘッドと、
前記インクヘッドの下方に配置され、前記記録媒体が配置され、上面が平坦状に形成されたプラテンと、
前記主走査方向と直交する副走査方向において前記プラテンより上流側に配置され、横断面円弧状に形成された上流側円弧部を備え、前記記録媒体を案内する上流側ガイドと、
前記副走査方向において前記プラテンより下流側に配置され、横断面円弧状に形成された下流側円弧部を備え、前記記録媒体を案内する下流側ガイドと、
前記上流側ガイドより下方に配置され、前記記録媒体が巻き付けられた供給軸と、
前記プラテンに設けられ、前記供給軸から巻き解かれた前記記録媒体を前記副走査方向に搬送する搬送装置と、
前記下流側ガイドより下方に配置され、印刷後の前記記録媒体を巻き取る巻き取り軸と、
前記プラテンを加熱する第１ヒータと、
前記上流側ガイドの前記上流側円弧部を加熱する第２ヒータと、
前記下流側ガイドの前記下流側円弧部を加熱する第３ヒータと、を備え、
前記主走査方向から見て、前記上流側ガイドの前記上流側円弧部の第１曲率は、前記下流側ガイドの前記下流側円弧部の第２曲率より大きく設定され、
前記主走査方向から見て、前記上流側円弧部の前記第１曲率は、前記供給軸に前記記録媒体が最も長く巻き付けられたときの前記記録媒体の第３曲率より小さい、インクジェット式記録装置。
【請求項２】
長尺な記録媒体にインクを吐出するノズルを備え、前記記録媒体の幅方向である主走査方向に移動可能なインクヘッドと、
前記インクヘッドの下方に配置され、前記記録媒体が配置され、上面が平坦状に形成されたプラテンと、
前記主走査方向と直交する副走査方向において前記プラテンより上流側に配置され、横断面円弧状に形成された上流側円弧部を備え、前記記録媒体を案内する上流側ガイドと、
前記副走査方向において前記プラテンより下流側に配置され、横断面円弧状に形成された下流側円弧部を備え、前記記録媒体を案内する下流側ガイドと、
前記上流側ガイドより下方に配置され、前記記録媒体が巻き付けられた供給軸と、
前記プラテンに設けられ、前記供給軸から巻き解かれた前記記録媒体を前記副走査方向に搬送する搬送装置と、
前記下流側ガイドより下方に配置され、印刷後の前記記録媒体を巻き取る巻き取り軸と、
前記プラテンを加熱する第１ヒータと、
前記上流側ガイドの前記上流側円弧部を加熱する第２ヒータと、
前記下流側ガイドの前記下流側円弧部を加熱する第３ヒータと、を備え、
前記主走査方向から見て、前記上流側ガイドの前記上流側円弧部の第１曲率は、前記下流側ガイドの前記下流側円弧部の第２曲率より大きく設定され、
前記主走査方向から見て、前記下流側円弧部の前記第２曲率は、前記巻き取り軸に前記記録媒体が最も長く巻き取られたときの前記記録媒体の第４曲率より小さい、インクジェット式記録装置。
【請求項３】
前記上流側円弧部の前記副走査方向の長さは、前記下流側円弧部の前記副走査方向の長さより短い、請求項１または２に記載のインクジェット式記録装置。
【請求項４】
前記主走査方向から見て、前記上流側円弧部の円弧の長さは、前記下流側円弧部の円弧の長さより短い、請求項１から３のいずれか一項に記載のインクジェット式記録装置。
【請求項５】
前記主走査方向から見て、前記上流側円弧部の第１中心角は４５度以上９０度以下であり、前記下流側円弧部の第２中心角は４５度以上９０度以下であり、前記第１中心角は、前記第２中心角以下である、請求項１から４のいずれか一項に記載のインクジェット式記録装置。
【請求項６】
前記主走査方向から見て、前記上流側円弧部の前記第１曲率は、前記供給軸の第５曲率より小さい、請求項１に記載のインクジェット式記録装置。
【請求項７】
前記主走査方向から見て、前記下流側円弧部の前記第２曲率は、前記巻き取り軸の第６曲率より小さい、請求項２に記載のインクジェット式記録装置。
【請求項８】
前記上流側円弧部の第１曲率をＭ１とし、前記下流側円弧部の第２曲率をＭ２としたとき、Ｍ１／Ｍ２は１．１〜２．０である、請求項１から７のいずれか一項に記載のインクジェット式記録装置。
【請求項９】
前記第１ヒータは、前記プラテンに設けられ、
前記第２ヒータは、前記上流側ガイドに設けられ、
前記第３ヒータは、前記下流側ガイドに設けられている、請求項１から８のいずれか一項に記載のインクジェット式記録装置。